(57)【要約】  飲料が入っており、取り外されるキャップとねじ付き開口部を有している数多くの既存の飲料容器（１０）の１つに万能後付け装着するためのボトルキャップ（２）であって、少なくとも１つの供給可能物質（４）を入れるための少なくとも１つの容器部と、ねじ付き開口部を受け入れ、ねじ込まれると水密な組立体を作り出すためのねじ付き部分（６）と、容器部分に配置されている供給可能物質が入っている袋（２３）と、を有しているボトルキャップ（２）。【選択図】          図３
2008513312.tif 000002
【特許請求の範囲】
【請求項１】
流体を収容し、且つ、取り外されるキャップと開口部とを有している、多くの既存の流体容器の１つに後付けされる万能ボトルキャップであって、
（ａ）第１チャンバと、
（ｂ）前記開口部を受け入れ、捩じられた時に水密の組立体を形成する取付部と、を備えており、
（ｃ）前記第１チャンバは、第１破壊可能部材を有し、且つ、第１供給可能物質を収容しており、前記開口部が前記取付部に取り付けられた時、前記第１破壊可能部材は破壊され、これにより前記第１供給可能物質を前記流体へ供給することを特徴とする、万能ボトルキャップ。
【請求項２】
ポンプと、前記取付部を貫通する導管とを有するポンプ機構を更に備えており、前記ボトルキャップが前記開口部を受け入れた時、前記導管は、前記流体容器及び前記流体の内部へ延びていることを特徴とする、請求項１に記載の万能ボトルキャップ。
【請求項３】
第２破壊可能部材を有し、且つ、第２供給可能物質を収容する第２チャンバを更に備えており、前記開口部が前記取付部に取り付けられた時、前記第２破壊可能部材は破壊され、これにより前記第２供給可能物質を前記流体へ供給することを特徴とする、請求項１に記載の万能ボトルキャップ。
【請求項４】
第３破壊可能部材を有し、且つ、第３供給可能物質を収容する第３チャンバを更に備えており、前記開口部が前記取付部に取り付けられた時、前記第３破壊可能部材は破壊され、これにより前記第３供給可能物質を前記流体へ供給することを特徴とする、請求項３に記載の万能ボトルキャップ。
【請求項５】
前記第１供給可能物質は流体である、請求項１に記載の万能ボトルキャップ。
【請求項６】
前記第１供給可能物質は粉末である、請求項１に記載の万能ボトルキャップ。
【請求項７】
前記第１供給可能物質は香味付けされた粉末であり、前記流体は水である、請求項１に記載の万能ボトルキャップ。
【請求項８】
前記第１供給可能物質はアルコール飲料である、請求項１に記載の万能ボトルキャップ。
【請求項９】
前記第１供給可能物質は第１アルコール飲料であり、前記第２供給可能物質は第２アルコール飲料である、請求項３に記載の万能ボトルキャップ。
【請求項１０】
前記第１供給可能物質は医薬活性剤である、請求項１に記載の万能ボトルキャップ。
【請求項１１】
前記第１供給可能物質は洗浄剤である、請求項１に記載の万能ボトルキャップ。
【請求項１２】
前記第１供給可能物質は洗浄剤である、請求項２に記載の万能ボトルキャップ。
【請求項１３】
前記第１供給可能物質は幼児用調合乳である、請求項１に記載の万能ボトルキャップ。
【請求項１４】
複数の前記ボトルキャップが市販用に包装されている、請求項１に記載の万能ボトルキャップ。
【請求項１５】
複数の前記ボトルキャップが市販用に包装されている、請求項２に記載の万能ボトルキャップ。
【請求項１６】
複数の前記ボトルキャップが市販用に包装されている、請求項３に記載の万能ボトルキャップ。
【請求項１７】
前記第１破壊可能部材と前記第２破壊可能部材は、容易に裂けるように、穿孔されている、請求項３に記載の万能ボトルキャップ。
【請求項１８】
前記第１破壊可能部材と前記第２破壊可能部材は、接着剤で前記ボトルキャップに固定的に取り付けられている、請求項１に記載の万能ボトルキャップ。
【請求項１９】
前記破壊可能部材は、前記ボトルキャップに接続されたリングにより、前記リングに載った状態で、前記ボトルキャップ内に支持されている、請求項１に記載の万能ボトルキャップ。
【請求項２０】
前記破壊可能部材は膜である、請求項１に記載の万能ボトルキャップ。
【請求項２１】
前記破壊可能部材は袋である、請求項１に記載の万能ボトルキャップ。
【請求項２２】
飲料を収容しており、且つ、取り外されるキャップと開口部とを有している、多くの既存の流体容器の１つに後付けされる万能ボトルキャップであって、
（ａ）第１チャンバと、
（ｂ）前記開口部を受け入れ、取り付けられた時に水密な組立体を形成する取付部と、を備えており、
（ｃ）前記第１チャンバは、第１破壊可能部材を有し、且つ、第１供給可能物質を収容しており、
（ｄ）飲み口を含む上部と、細長い可動流体流動部分とを有し、開いている流体流動状態と閉じている流体停止状態を形成する、可動開口部組立体を更に備えており、前記組立体を動かすことによって、前記組立体に前記破壊可能部材を破壊させ、前記第１供給可能物質を前記流体容器内に放出することを特徴とする、万能ボトルキャップ。
【請求項２３】
第２破壊可能部材を有し、且つ、第２供給可能物質を収容する第２チャンバを更に備えており、前記組立体を動かすと、前記第２破壊可能部材が破壊され、これにより前記第２供給可能物質を前記流体へ供給することを特徴とする、請求項２２に記載の万能ボトルキャップ。
【請求項２４】
第３破壊可能部材を有し、且つ、第３供給可能物質を収容する第３チャンバを更に備えており、前記組立体を動かすと、前記第３破壊可能部材が破壊され、これにより前記第３供給可能物質を前記流体へ供給することを特徴とする、請求項２３に記載の万能ボトルキャップ。
【請求項２５】
前記第１供給可能物質は流体である、請求項２２に記載の万能ボトルキャップ。
【請求項２６】
前記第１供給可能物質は粉末である、請求項２２に記載の万能ボトルキャップ。
【請求項２７】
前記第１供給可能物質は香味付けされた粉末であり、前記流体は水である、請求項２２に記載の万能ボトルキャップ。
【請求項２８】
前記第１供給可能物質はアルコール飲料である、請求項２２に記載の万能ボトルキャップ。
【請求項２９】
前記第１供給可能物質は第１アルコール飲料であり、前記第２供給可能物質は第２アルコール飲料である、請求項２３に記載の万能ボトルキャップ。
【請求項３０】
前記第１供給可能物質は医薬活性剤である、請求項２２に記載の万能ボトルキャップ。
【請求項３１】
前記第１供給可能物質は洗浄剤である、請求項２２に記載の万能ボトルキャップ。
【請求項３２】
複数の前記ボトルキャップが市販用に包装されている、請求項２２に記載の万能ボトルキャップ。
【請求項３３】
前記第１破壊可能部材と前記第２破壊可能部材は、容易に裂けるように、穿孔されている、請求項２３に記載の万能ボトルキャップ。
【請求項３４】
前記第１破壊可能部材と前記第２破壊可能部材は、接着剤で前記ボトルキャップに固定的に取り付けられている、請求項２３に記載の万能ボトルキャップ。
【請求項３５】
前記第１破壊可能部材と前記第２破壊可能部材は、前記ボトルキャップに接続されたリングによって、前記ボトルキャップ内に支持されている、請求項２３に記載の万能ボトルキャップ。
【請求項３６】
前記第１破壊可能部材と前記第２破壊可能部材は膜である、請求項２３に記載の万能ボトルキャップ。
【請求項３７】
前記第１破壊可能部材と前記第２破壊可能部材は袋である、請求項２３に記載の万能ボトルキャップ。
【請求項３８】
飲料を収容しており、且つ、取り外されるキャップと開口部とを有している、多くの既存の飲料容器の１つに後付けされる万能ボトルキャップであって、
（ａ）少なくとも１つの容器部分と、
（ｂ）前記開口部を受け入れ、捩じられた時に水密な組立体を形成する取付部と、
（ｃ）前記容器部分に配置されており、且つ、供給可能物質を収容する破壊可能袋と、を備えており、前記開口部が前記取付部に取り付けられた時、前記袋が破壊され、これにより前記物質を前記飲料へ供給することを特徴とする、万能ボトルキャップ。
【請求項３９】
複数の前記キャップが市販用に包装されている、請求項３８に記載の万能キャップ。
【請求項４０】
前記少なくとも１つの物質は、ビタミン、薬剤、茶、香味料、濃縮物、及び水溶性食材から成る群から選択される、請求項３８に記載の万能キャップ。
【請求項４１】
前記袋は、容易に裂けるように穿孔されている、請求項３８に記載の万能キャップ。
【請求項４２】
前記袋は、接着剤で前記ボトルキャップに固定的に取り付けられている、請求項３８に記載の万能キャップ。
【請求項４３】
前記袋は、前記ボトルキャップに接続されたリングにより、前記リングに載った状態で、前記キャップ内に支持されている、請求項３８に記載の万能キャップ。
【請求項４４】
飲料を収容しており、且つ、取り外されるキャップと開口部とを有している、多くの既存の飲料容器の１つに後付けされる万能ボトルキャップであって、
（ａ）少なくとも１つの容器部分と、
（ｂ）前記開口部を受け入れ、捩じられた時、水密な組立体を形成する取付部と、
（ｃ）前記容器部分に配置されており、且つ、供給可能物質を収容する破壊可能袋と、
（ｄ）飲み口を含む上部と、細長い可動流体流動部分とを有し、開いている流体流動状態と閉じている流体停止状態を形成する、可動開口部組立体とを備えており、前記組立体を、前記開いている流体流動状態から前記閉じている流体停止状態に動かすことにより、前記組立体が前記袋を破壊して、前記供給可能物質が前記飲料容器の中に放出される、ボトルキャップ。
【請求項４５】
複数の前記キャップが市販用に包装されている、請求項４４に記載の万能ボトルキャップ。
【請求項４６】
前記少なくとも１つの物質は、ビタミン、薬剤、茶、香味料、濃縮物、及び水溶性食材から成る群から選択される、請求項４５に記載の万能キャップ。
【請求項４７】
前記袋は、容易に裂けるように穿孔されている、請求項４５に記載の万能ボトルキャップ。
【請求項４８】
前記袋は、接着剤で前記ボトルキャップに固定的に取り付けられている、請求項４５に記載の万能ボトルキャップ。
【請求項４９】
前記袋は、前記ボトルキャップに接続されたリングにより、前記リングに載った状態で、前記ボトルキャップ内に支持されている、請求項４５に記載の万能ボトルキャップ。
【請求項５０】
前記可動開口部組立体の不用意な押し下げを防ぐために、前記可動開口部組立体を覆って取り外し可能に固定されている装置を更に備えている、請求項４５に記載の万能ボトルキャップ。
【発明の詳細な説明】
【技術分野】
【０００１】
本発明は、流体の入った容器に物質を供給する、飲料の分野に関し、より具体的には、元々のキャップを取り外した後に、例えば、ビタミン、香味料、及び別の成分を含む何らかの物質を飲料又は流体に供給するようにキャップをボトル又は容器に後付け装着できるような、取り外しキャップを有するボトル入り飲料及び流体に関する。
【背景技術】
【０００２】
本出願は、２００５年５月２４日出願の米国特許出願第１１／１３５，７３４号と、２００４年９月１７日出願の米国特許出願第１０／９４３，７１２号に対する優先権を主張し、参照することにより、その全体が本明細書に含まれる。
【０００３】
飲料業界は、今日、実質的に同一の取り外し可能なキャップを有するプラスチックボトルに入った瓶詰め水で、大部分が占められている。その様なキャップは、捩じり動作によって取り外され、キャップを取り外した後には帯又はカラー（ｃｏｌｌａｒ）が残ると同時に、ボトルの上部に飲むための接近口が提供される。飲料には、事前混合された、複数の異なる設計の飲み物があり、これらは、特に、冷蔵、賞味期限、及び飲料の貯蔵寿命に関するこの他の表示を必要としている。
【０００４】
個体形態で販売されている、水溶性の即席飲料は、当該技術分野では周知である。消費者は、乾燥物質の量を測定し、その量を適切な比率で水に加え、風味付き飲料を作る。これらの実施形態では、消費者は、量を調整することを求められ、失敗すると、風味が不足した、又は過剰な混合物ができる。
【０００５】
流体ベースの製品の鮮度を維持することは重要である。これは、供給する物質がビタミンベースである場合、特に重要である。なぜなら、水溶性のビタミンは、流体環境内では、時間が経つと、とりわけ温度、圧力及び光の変化によってその効能を失う可能性があることが知られているからである。更に、流体ベースの製品は、プラスチックボトルと相互作用し、風味を損ねたり、ユーザーの健康を害することがある。このため、より高価で重量の大きい、ガラス瓶が必要とされている。
【０００６】
これまで当該技術分野では知られていない万能（ｕｎｉｖｅｒｓａｌ）キャップ設計は、乾燥又は濃縮物質、例えば、ビタミン、即席飲料及び他の香味料、食材、衛生材料、薬剤、及び洗浄製品、化粧品、洗面用品、アート用品、研究化学薬品などの非摂取物質を収容し、既存の標準的なプラスチックのボトル設計を修正する必要無しに、キャップを、広汎な、多くが水である流体の容器に利用できるようにしたものである。つまり、既存のキャップを取り外すと、物質が収容されている新しいキャップを、ボトルの上部に後付け（ｒｅｔｒｏｆｉｔｔｅｄｌｙ）装着して、物質を流体内に供給できるようになっている。結果物を振る（ｓｈａｋｅ）と、消費又は利用する直前に、完成品が出来上がる。
【０００７】
既知の装置は、Ｂｕｒｎｉｓｋｉの米国公報第２００３／００７２８５０号、Ｍｏｌｌｓｔｒａｍの米国特許第６，０９８，７９５号、Ｋａｎｇの米国特許第５，７７２，０１７号、ＤｉＰａｌｍａの米国特許第５，２４６，１４２号、及びＭｅｎｄｅｎｈａｌｌの米国特許第２，８５９，８９８号を含んでいる。しかしながら、これらの装置は、既存のボトル設計に後付け装着できない複雑な機構を組み込んでおり、その上、回転及び供給のための厄介な機構を有している。更に、実際の消費者の利益の観点から、購入時、関連するキャップと流体製品の両方を、事前包装された形態で入手しなければならない。両者を切り離して、複数の異なる物質が入っているキャップと、標準的なプラスチック流体ボトルを、消費者が個々に購入できるようにすることは、まだ知られていない。
【発明の開示】
【発明が解決しようとする課題】
【０００８】
従って、本発明の目的は、物質を収容しており、既存の流体容器に取り付けて物質を供給できるようにする、万能な一回使用のキャップを提供することである。
本発明の別の目的は、消費者が簡単に利用できて、既存の流体容器に一回使用するために取り付ける、複数の異なる香料の入った万能キャップを提供することである。
【０００９】
本発明の更に別の目的は、ビタミン等の異なる物質を収容する複数の万能キャップを提供して、消費者が水等の好みの形態の飲料を購入すると決めて、その様なキャップを個別に購入できるようにすることである。
【００１０】
本発明の更に別の目的は、茶等の異なる香味料を収容する複数の万能キャップを提供して、消費者が、自分の好みの形態の瓶詰め水の中で新鮮な茶製品を作れるようにすることである。
【課題を解決するための手段】
【００１１】
本発明を特徴付ける新規の様々な特徴は、本開示に付加され、その一部分を構成している請求項に具体的に指摘されている。本発明、その作用利点、及びそれを使用することによって実現される具体的な目的をより良く理解するために、本発明の好適な実施形態を図示し説明している図面と詳細な説明を参照されたい。
【００１２】
本発明の上記及びその他の目的の内の１つ又はそれ以上は、飲料又は流体を収容し、且つ、取り外されるキャップとねじの切られた開口部を有する、数多くの既存の飲料又は流体の容器の１つに万能に後付け装着するためのボトルキャップによって実現される。一般に、水、その他の飲料、及び他の流体の大部分は、取り外し可能なキャップを有していて、取り外すと後にねじ山が残る、標準的なボトルに容器詰めされているか、容器詰めすることができる。本発明のキャップは、ボトルの上部のねじ山を受け入れるためのねじ込み可能な取付部分を有していることにより、これらのねじ山と噛み合って、水密の組立体を作る。代わりに、キャップは、ボトルに簡単に押し込める差込型（ｐｌｕｇ−ｔｙｐｅ）の装置であってもよい。
【００１３】
キャップは、更に、少なくとも１つの供給可能な物質を収容するための少なくとも１つの容器部分を有している。或る実施形態では、キャップは、２つ以上の供給可能な物質を別々に入れるための２つ以上の容器部分又はチャンバを有している。供給可能な物質は、放出されると、同時又は順次に流体に供給されることによって容器内の流体に混ぜ合わせられる。供給可能な物質は、ビタミン、即席飲料、口腔洗浄剤の様な衛生材料、調合薬や栄養補助食品の様な薬剤、茶、香味料、濃縮物、乳幼児用調合乳の様な水溶性食材、及び、洗浄製品、化粧品、洗面用品、着色料、顔料、塩や緩衝剤等の研究化学薬品の様な非摂取物質から成る群から選択することができる。供給可能な物質は、１つのアルコール飲料、２つ以上のアルコール飲料、及び幼児用の調合混合物の様な粉末であってもよい。従って、供給可能な物質は、流体と粉末を含んでいてもよく、後で流体内に放出するためにボトルキャップのチャンバ内に保管しておくことのできる成分は数多くある。
【００１４】
ボトルキャップは、チャンバを作る破壊可能（ｐａｒｓｅａｂｌｅ）部材を含んでいる。或る実施形態では、ボトルキャップは、ねじ込み可能な取付部分の断面によって画定される面内に実質的に平坦に配置されている破壊可能膜を有しており、前記膜の１つの表面では、前記容器部分が封じ込められ、他の表面では、封じ込まれた物質の空気に対する隔壁（ａｉｒ  ｂａｒｒｉｅｒ）が設けられるようになっている。ねじ付き開口部をねじ込み可能な取付手段にねじ込み可能に取り付けると、ねじ付き開口部が破壊可能膜の少なくとも一部分を破壊して、物質を流体の中へ送給できるようになる。破壊すると、物質は、重力の作用、振動、又はその組み合わせの何れかによって、自由に流体内に流れ込む。物質は、流体の中に入ると分散し、新鮮な製品を作り出す。
【００１５】
複数チャンバの場合、別の膜を第１膜に対して垂直に設け、ボトルキャップ内に別々のチャンバを設けることができるようになっている。垂直に向いた膜は、ボトルキャップと外部環境の間にシールを提供する第１膜と一体に形成してもよいし、接着剤によって一体に保持してもよい。
【００１６】
別の実施形態では、供給可能物質は、破壊可能膜材で形成された密封袋又は包体（ｐａｃｋｅｔ）内に配置されている。袋又は包体は、キャップの上部に、キャップ全体に亘って配置されている。ねじ付き開口部をねじ込み可能な取り付け手段にねじ込み可能に取り付けると、ねじ付き開口部が袋又は包体の少なくとも一部分を破壊して、物質を流体の中に供給できるようになる。破壊すると、物質は、重力の作用、振動、又はその組み合わせの何れかによって、自由に流体内に流れ込む。物質は、飲料の中に入ると分散し、新鮮な製品を作り出す。袋は、接着剤又はプラスチックの支持リングの様な任意の適した手段によってキャップに取り付けることができる。袋は、密封され、自立しているので、袋を、キャップ全体に亘って気密密封する必要は無い。従って、接着剤の一部が緩くなっても、供給可能物質は、ユーザーが放出するまで、袋の中にしっかりと保管される。袋又は包体は、ユーザーが袋を開き易いように、開く領域に小孔を開けておくのが望ましい。
【００１７】
ボトルキャップ内に複数のチャンバを設ける必要がある場合は、複数の袋を設けることもできる。複数の袋は、ボトルキャップを液体の容器に取り付けると各袋が破壊されるように、ボトルキャップ内に横に並べて配置される。
【００１８】
複数のその様なボトルキャップが、市販用に包装されてもよい。この態様では、例えば、異なる香味料又はビタミン組成物が提供され、消費者は、実質的に、ここに定められる独特のキャップと適切に噛み合うねじ山を有する任意の飲料を購入することができる。アルコール飲料、洗浄製品、乳児調合乳なども、この方式で市販用に包装することができる。
【００１９】
別の実施形態では、万能キャップは、開いている流体流動状態と閉じている流体停止状態を作り（しばしば「スポーツボトル」と呼ばれる）、飲み口を含む上部分と、細長い可動式の流体流動部分とを有する、可動開口部組立体を有している。或る実施形態では、可動流体流動部分は、包体、袋、又は膜に隣接して配置されている切断端を有している。可動部分は、最初、包体が密封されるときに、開いている流体流動状態に設定され、次に、包体、袋、又は膜の上へと下ろされ、包体を破壊して、物質を液体内に放出する。また、包体又は袋は、可動部分によって開き易くするため、可動部分の隣の領域に小孔を開けていてもよい。物質が混ぜ合わされた後、可動開口部分は弁として機能し、ユーザーが、開いている流体流動状態又は閉じた状態に動かすことを許容する。
【００２０】
可動開口部組立体を覆って、又はその回りに取り外し可能なキャップ又はカラー（ｃｏｌｌａｒ）を設けて、輸送及び保管中の開口部組立体の早すぎる（ｐｒｅｍａｔｕｒｅ）押し下げを防ぐのが望ましい。
【００２１】
更に別の実施形態では、万能ボトルキャップは、作動装置と、作動装置と流体連通している細長い流体流動導管とを備えているポンプ組立体を有している。作動装置を作動させると、流体流動導管は流体をノズルへ送るので、流体はポンプ組立体から放出される。ボトルキャップは、流体容器内に放出される成分を提供するために密封されたチャンバを含んでいる。ポンプ組立体は周知であり、一般的に、家庭及び自動車用クリーナーや、ヘアスプレー、香水、コロンなどの様な個人的ケア用品に用いられている。適したポンプ組立体は、トリガスプレー器、スプレーポンプ、クリームポンプ、ローションポンプ、鼻スプレー、及び香水噴霧器を含んでいる。
【００２２】
本発明のこの他の特徴は、添付図面を参照しながら以下の詳細な説明を読むことにより明らかになるであろう。しかしながら、図面は、単に説明を目的にしており、本発明を制限するものではなく、それについては、特許請求の範囲を参照されたい。
【発明を実施するための最良の形態】
【００２３】
本発明のこの他の目的及び特徴は、添付図面を参照しながら以下の詳細な説明を読むことにより明らかになるであろう。しかしながら、図面は、単に説明するためのものであり、本発明の限界を定義するものではない。図面では、同様の参照符号は、各図面に亘って同様の要素を示している。
【００２４】
図１は、取り付け時に飲料中に供給するための物質４が入っている容器部分３を有するキャップ２の斜視図である。ねじ山受け入れ手段６の境界内に平面状に配置された破壊可能（ｐａｒｓｅａｂｌｅ）膜８も示されており、この構成の理由については図３と関連付けて更に詳細に示し説明する。
【００２５】
図２は、図１に示しているキャップ２の、図１のＡ−Ａ線に沿う断面図であり、容器部分３は、物質４を保持しており、ねじ山受け入れ手段６の平面領域内に膜８が示されている。
【００２６】
図３は、飲料が入っているボトル１０へのキャップ２の取り付けを示しており、ボトル１０のねじ山付き上部領域が膜８を破壊し、物質４を飲料に供給できる様になった状態が示されている。膜８は破壊された形態で示されている。膜８は、ボトル１０の上部のねじ山付き領域を受け入れ手段６にねじ込むことにより簡単に破壊され、それ以上の行為が不要であることを理解されたい。
【００２７】
図４は、開いている流体流動状態と閉じている流体停止状態を作り出す可動開口部組立体１４を有しており、飲み口としての上部１５と、膜８の上に載っている細長い可動流体流動部分１６とを有している、キャップ１２の代替実施形態を示している。部分１６は、ねじ込み可能な組立体が膜を破壊せず、組立体１４の運動だけが膜を破壊するように、膜８に取り付けることもできる。しかし、図４に示している状態では、膜８の破壊は、ねじ込み可能な組立体によって起こり、図５に示している様に、膜８は破壊され、物質４が分散される。最後に、図６は、消費者に販売できるパッケージ１６の中に入った複数のキャップ２を示している。
【００２８】
図７は、取り付け時に飲料内に供給するための物質２４を収容する袋２３で形成された容器部を有する、キャップ２２の斜視図を示している。袋２３は、ねじ山２６の上方に配置されており、その理由については、図９に関連付けて詳細に示し説明する。
【００２９】
図８は、図７に示しているキャップ２２の、図７のＡ−Ａ線に沿う断面図であり、袋２３は、図示のように物質２４を保持している。
図９は、キャップ２２の、飲料の入ったボトル３０への取り付けを示しており、図では、ボトル３０のねじ山付き上部領域３１が袋２３を破壊し、物質２４を飲料に供給できるようになった状態が示されている。袋２３は破壊された形態で示されている。袋２３は、ボトル３０の上部ねじ山付き領域を受け入れ手段２６にねじ込むだけで簡単に破壊され、それ以上の行為は必要ないことを理解されたい。袋２３には、袋２３をより簡単に開けるように、小孔を開けていてもよい。
【００３０】
図１０は、開いている流体流動状態と閉じている流体停止状態を作り出す可動開口部組立体３４を有し、飲み口である上部３５と、袋３３の上に載る細長い可動流体流動部分３６を有している、キャップ３２の代替実施形態を示している。部分３６は、ねじ込み可能な組立体が袋３３を形成する膜を破壊せず、組立体３４の下向きの運動だけが袋を破壊するように、袋３３に取り付けることもできるものと理解されたい。使用時、組立体３４は、最初、開いている状態に配置され、液体と袋３３内の物質を混合させたいときに、図１１に示している様に、切断端４０が袋３３に穴を開けるまで、組立体３４が押し下げられる。袋３３には、袋３３に容易に穴を開けることができるように、小孔４１が設けられている。成分３７は、袋３３から流体容器内に放出される。
【００３１】
袋３３は、プラスチックリング４２、又は、接着剤の様な何れかの別の方法によって、適所に保持することができる。
組立体３４上にキャップ５０を取り外し可能に配置し、組立体３４を不注意に押し下げて、袋３３に穴を開けるのが早過ぎることになるのを防ぐようになっているのが望ましい。キャップ５０は、上部の開いたカラー（ｃｏｌｌａｒ）の形態であってもよい。
【００３２】
更に別の実施形態では、キャップは、ボトル開口部に圧入されるプラグの形態であってもよいし、又は、ボトル開口部の外縁の回りに圧入外挿されるキャップの形態であってもよく、これにより、キャップを適所に維持するのにねじ山は不要である。キャップを取り付けるのに適していれば、この他どの様な手段を使用してもよい。
【００３３】
図１２は、一体型ポンプスプレー機構６４を備えたボトルキャップ６２を示している。ボトルキャップ６２は、破壊可能部材６６で形成されたチャンバ６５を有している。破壊可能部材６６は、図１から図５に開示されている様な膜であってもよい。破壊可能部材６６は、図７から図１１に開示されている様な袋であってもよい。更に、先に述べた様に、破壊可能部材６６には、膜又は袋を破壊し易くするため小孔を開けておいてもよい。
【００３４】
一体型ポンプスプレー機構６４は、スプレーノズル６８、導管７０、及び作動（ｔｒｉｇｇｅｒ）装置７２を含んでいる。作動装置７２を強く握ると、管７０内に真空状態が作られ、管７０内にある液体は何であっても一体型ポンプスプレー機構を通して引き上げられ、スプレーノズル６８を通して吐き出される。一体型ポンプスプレー機構６４は、消費者が保持するためのハンドルを形成している。
【００３５】
ボトルキャップ６２は、水入りボトルの様な既存の流体容器のねじ山を受け入れるようになっている雌ねじ７４を有している。破壊可能部材６６は、ボトルキャップ６２を流体容器にねじ込むと、流体容器が破壊可能部材６６に接触し、部材６６を破壊するように、ボトルキャップ６２に接続されている。先に述べた様に、破壊可能部材６６は、接着剤又は部材６６の外周回りのリングによって、ボトルキャップ６２内に取り付けることができる。破壊可能部材６６は、チャンバ６５を作り出すため、接着剤又は他の手段によって導管７０に固定されているのが望ましい。破壊可能部材６６には、先に述べた様に、小孔を開けていてもよい。破壊可能部材６６は、ボトルキャップ６２を容器上に配置したときに流体容器が破壊可能部材６６に接触するように、ボトルキャップ６２のねじ付き領域内に配置されるのが望ましい。
【００３６】
破壊可能部材６６とボトルキャップ６２は、ボトルキャップ６２の内側にチャンバ６５を形成する。チャンバ７６には、ボトルキャップ６２を流体容器８０に取り付けたときに流体容器８０の中に供給される成分７８が入っている。
【００３７】
図１３から図１５は、本発明の或る態様による、複数の成分を流体容器の中に供給するための複数のチャンバを備えたボトルキャップを示している。図１３では、ボトルキャップ１０２は、水入りボトルの様な流体容器に後付け装着（ｒｅｔｒｏ−ｆｉｔｔｅｄ）できるようにするねじ山付き区画１０６を有している。ボトルキャップ１０２は、破壊可能部材１０８も有している。この場合、破壊可能部材１０８は膜である。膜は、プラスチック、ゴム、又は同様の材料で作ることができる。第２膜１１０も、ボトルキャップ１０２内に設けられている。第２膜１１０は、膜１０８に垂直であるのが望ましく、接着剤によって、ボトルキャップ１０２の側面及び上面と膜１０８に取り付けられているのが望ましい。
【００３８】
図１４は、図１３のボトルキャップ１０２を上から見た図を示している。見て明らかな様に、第２膜１１０は、ボトルキャップ１０２内に２つのチャンバ１１２と１１４を形成している。第１成分１１６は、第１チャンバ１１２内に保持されており、第２成分１１８は、第２チャンバ１１４内に保持されている。ボトルキャップ１０２が流体容器上に配置されると、膜１０８は、破壊されて、成分１１６と１１８を流体容器の中に放出する。
【００３９】
図１５は、本発明の別の態様を示している。ボトルキャップ１２０は、底部に膜１０８と同様の膜を有している。ボトルキャップ１２０は、更に、第１膜１２２、第２膜１２４、及び第３膜１２６を有し、ボトルキャップ１２０内に３つのチャンバ１２８、１２９、及び１３０が形成されている。膜１２２、１２４、及び１２６は、接着剤で、ボトルキャップ１２０及び互いに対して固定されているのが望ましい。チャンバ１２８は、第１成分１３２を保持している。チャンバ１２９は、第２成分１３３を保持している。チャンバ１３０は、第３成分１３４を保持している。ボトルキャップ１２０を流体容器に取り付けると、ボトルキャップ１２０底部の破壊可能膜は破壊され、成分１３２から１３４の各成分は、流体容器の中に放出される。勿論、必要であれば、更に膜を追加することによって、ボトルキャップ１２０に更にチャンバを追加してもよい。
【００４０】
図１６と図１７は、本発明の別の態様による、複数の成分を流体容器の中に供給するための複数のチャンバを備えたボトルキャップ１４０を示している。図１７は、図１６のボトルキャップ１４０を上から見た図を示している。
【００４１】
ボトルキャップ１４０は、第１破壊可能袋１４２と第２破壊可能袋１４３を有している。破壊可能袋１４２と１４３は、ボトルキャップ１４０を流体容器に後付け装着すると、流体容器が袋１４２と１４３を破壊するように、ボトルキャップ１４０に取り付けられている。取付は、接着剤で行うことができる。袋１４２と１４３は、ボトルキャップ１４０のねじ付き領域１４６に取り付けられていて、流体容器が、後付け装着したときに袋１４２と１４３に接触して袋１４２と１４３を破壊するようになっているのが望ましい。袋１４２と１４３は、それぞれ成分１４４と１４５を保持しており、ボトルキャップ１４０が流体容器に取り付けられるときに、各成分が流体容器の中に放出される。成分を、順次流体容器の中に放出することもできる。
【００４２】
図１８から図２０は、本発明の別の態様による、複数の成分を流体容器の中に供給するための複数のチャンバを備えたボトルキャップを示している。図１８では、ボトルキャップ１５０は、開位置と閉位置を有する装置を有している。同様のボトルキャップについては、先に説明した。
【００４３】
ボトルキャップ１５０は、ボトルキャップ１５０のねじ付き領域１５６に取り付けられている膜１５８を有しており、流体容器がボトルキャップ１５０に取り付けられると、膜１５８が破壊され、成分が放出されるようになっている。図１９に示している様に、ボトルキャップ１５０は、接着剤で、ボトルキャップ１５０の側面及び上面と、膜１０８とに接着されている別の膜１６０も含んでいる。膜１６０は、第１チャンバ１６１と第２チャンバ１６２を形成しており、それぞれが、第１成分１６３と第２成分１６４を保持している。ボトルキャップ１５０の膜が破壊されると、成分１６３と１６４は、膜を破壊した流体容器の中に放出される。図１９に示しているボトルキャップ内の２つのチャンバは、２つの垂直な膜を、それぞれ、接着剤又は別の手段で、ボトルキャップの側面と飲み口１７６とに取り付けて形成してもよい。
【００４４】
図２０と図２１は、３つのチャンバを有するボトルキャップを示している。図２０では、ボトルキャップの底部に第１膜が配置されており、ボトルキャップを流体容器に取り付けると破壊されるようになっている。第２膜１７２と第３膜１７４は、図示の様に接着剤又は別の取付手段で取り付けられ、ボトルキャップ内に３つのチャンバを形成している。
【００４５】
図２１は、３つの垂直な膜１７８、１８０、及び１８２を使ってボトルキャップ１８０内の３つのチャンバを形成したものを示している。
先に図示し説明した様に、ボトルキャップ１５０は、２つ又はそれ以上の破壊可能袋を使用することによって、複数のチャンバを形成することもできる。破壊可能袋はボトルキャップ１５０のねじ付き領域付近に取り付けられているので、流体容器にボトルキャップ１５０を取り付けると、流体容器が袋を破壊し、複数の成分が流体容器の中に放出されるようになっている。
【００４６】
以上、本発明の基本的な新規な特徴について、その好適な実施形態に当てはめて図示し、説明し、指摘してきたが、当業者によれば、本発明の精神から逸脱することなく、図示している装置の形態及び細部、及びその作用に、様々な省略、置換、及び変更を施しうるものと理解頂きたい。従って、特許請求項の範囲に示しているものによってのみ、制限が課されるものとする。
【図面の簡単な説明】
【００４７】
【図１】本発明の或る態様によるボトルキャップの斜視図である。
【図２】図１に示しているボトルキャップの、Ａ−Ａ線に沿う断面図である。
【図３】瓶詰め飲料容器に装着されているボトルキャップの斜視図であり、本発明の或る態様による、膜の破壊と物質の供給を示している。
【図４】本発明の別の態様による、ロック可能な流体停止及び流体流動状態を有する代替ボトルキャップ組立体の斜視図である。
【図５】図４の代替ボトルキャップの斜視図であり、流体流動状態にあるボトルに取り付けられている状態を示している。
【図６】本発明の別の態様による、消費者に販売できるパッケージに入った複数のキャップの斜視図である。
【図７】本発明の別の態様による、ボトルキャップの斜視図である。
【図８】図７に示しているキャップの、Ａ−Ａ線に沿う断面図である。
【図９】本発明の好適な実施形態による、瓶詰め飲料容器に装着されているボトルキャップの斜視図であり、袋の破壊と物質の供給を示している。
【図１０】本発明の別の態様による、ロック可能な流体停止及び流体流動状態を有する代替キャップ組立体の斜視図である。
【図１１】図１０の代替キャップの斜視図であり、流体流動状態にあるボトルに取り付けられている状態を示している。
【図１２】一体型ポンプスプレー機構を備えたボトルキャップを示している。
【図１３】本発明の或る態様による、複数の成分を流体容器に供給するための複数のチャンバを備えたボトルキャップを示している。
【図１４】本発明の或る態様による、複数の成分を流体容器に供給するための複数のチャンバを備えたボトルキャップを示している。
【図１５】本発明の或る態様による、複数の成分を流体容器に供給するための複数のチャンバを備えたボトルキャップを示している。
【図１６】本発明の或る態様による、複数の成分を流体容器に供給するための複数のチャンバを備えたボトルキャップを示している。
【図１７】本発明の或る態様による、複数の成分を流体容器に供給するための複数のチャンバを備えたボトルキャップを示している。
【図１８】本発明の別の態様による、複数の成分を流体容器に供給するための複数のチャンバを備えたボトルキャップを示している。
【図１９】本発明の別の態様による、複数の成分を流体容器に供給するための複数のチャンバを備えたボトルキャップを示している。
【図２０】本発明の別の態様による、複数の成分を流体容器に供給するための複数のチャンバを備えたボトルキャップを示している。
【図２１】本発明の別の態様による、複数の成分を流体容器に供給するための複数のチャンバを備えたボトルキャップを示している。
【図１】
2008513312.tif 000003
【図２】
2008513312.tif 000004
【図３】
2008513312.tif 000005
【図４】
2008513312.tif 000006
【図５】
2008513312.tif 000007
【図６】
2008513312.tif 000008
【図７】
2008513312.tif 000009
【図８】
2008513312.tif 000010
【図９】
2008513312.tif 000011
【図１０】
2008513312.tif 000012
【図１１】
2008513312.tif 000013
【図１２】
2008513312.tif 000014
【図１３】
2008513312.tif 000015
【図１４】
2008513312.tif 000016
【図１５】
2008513312.tif 000017
【図１６】
2008513312.tif 000018
【図１７】
2008513312.tif 000019
【図１８】
2008513312.tif 000020
【図１９】
2008513312.tif 000021
【図２０】
2008513312.tif 000022
【図２１】
2008513312.tif 000023
【国際調査報告】
2008513312.tif 000024
2008513312.tif 000025
2008513312.tif 000026